(57)【要約】【課題】  床材の裏面側を彫り込んで形成した収納凹所に発熱体および断熱材を納める構成はそのままに、合板の層構造バランスを保持して、床材の反りが発生し難い床暖房パネルを提供する。【解決手段】  床材２の裏面側に収納凹所２１を形成して、これに発熱体３および断熱材４を納める床暖房パネル１であって、床材２は、収納凹所２１の彫り込み深さと同じ厚さの第一合板２ａと、彫り残す厚さと同じ厚さの第二合板２ｂとを貼り合わせて構成されている。【選択図】図１
2006124956.tif 000002
【特許請求の範囲】
【請求項１】
床材の裏面側に収納凹所を形成して、これに発熱体および断熱材を納める床暖房パネルであって、床材は、収納凹所の彫り込み深さと同じ厚さの第一合板と、彫り残す厚さと同じ厚さの第二合板とを貼り合わせて構成されていることを特徴とする床暖房パネル。
【請求項２】
第一合板と第二合板とは、収納凹所の彫り込み部位以外の部位にて貼り合わされていることを特徴とする請求項１記載の床暖房パネル。
【発明の詳細な説明】
【技術分野】
【０００１】
本願発明は、床材・ヒータ一体型の電気式の床暖房パネルに関するものである。
【背景技術】
【０００２】
上記床暖房パネルについては、たとえば図３に例示したように、床材２の裏面側に収納凹所２１を設け、これに発熱体３および断熱材４を順に納めたものが知られている（たとえば特許文献１，２参照）。
【特許文献１】特開２００２−１９５５９１号公報
【特許文献２】特開平１１−２５６８０３号公報
【発明の開示】
【発明が解決しようとする課題】
【０００３】
しかしながら、上記のとおりの従来の床暖房パネル１では、床材２としてたとえば厚さ１２ｍｍの一枚の合板を使用した場合であって、その半分の深さ６ｍｍの収納凹所２１を形成すると、合板のちょうど下半分が取り除かれ、残った上半分の層構造のバランスが崩れてしまう。すなわち、通常、合板は層構造のバランスを保つために真ん中の板から上下に対称な層構造を有しているのであるが、下半分が取り除かれると、真ん中の板の上半分からのみが残り（真ん中の板そのものも厚さ方向に半分となってしまう）、元々の層構造の対称性が損なわれてしまうのである。これにより、合板に反りが発生し、床材２としての品質を維持することが難しくなる恐れがあった。
【０００４】
そこで、以上のとおりの事情に鑑み、本願発明は、床材の裏面側に形成した収納凹所に発熱体および断熱材を納める構成はそのままに、合板の層構造バランスを保持して、床材の反りが発生し難い床暖房パネルを提供することを課題としている。
【課題を解決するための手段】
【０００５】
本願発明は、上記の課題を解決するものとして、第１には、床材の裏面側に収納凹所を形成して、これに発熱体および断熱材を納める床暖房パネルであって、床材は、収納凹所の彫り込み深さと同じ厚さの第一合板と、彫り残す厚さと同じ厚さの第二合板とを貼り合わせて構成されていることを特徴とする。
【０００６】
第２には、第一合板と第二合板とは、収納凹所の彫り込み部位以外の部位にて貼り合わされていることを特徴とする。
【発明の効果】
【０００７】
上記第１の発明によれば、予め収納凹所の彫り込み深さと同じ厚さにされた第一合板と、同じく予め彫り残す厚さと同じ厚さにされた第二合板とを用意し、これらを互いに貼り合わせて、合板２枚構成の床材とすることで、この床材の裏面側つまり第一合板に収納凹所を彫り込んで形成させると、収納凹所がちょうど第一合板と第二合板との貼り合わせ面に達して、上方の第二合板は当初のまま残ることになるため、第二合板自体の層構造はバランスつまり対称性が保たれたままとなり、よって床材の反りが発生し難い床暖房パネルが実現される。
【０００８】
上記第２の発明によれば、上記第１の発明と同様な効果が得られ、また、第一合板と第二合板を、収納凹所の彫り込み部位以外の部位にて互いを接着剤やタッカー止めなどによって貼り合わせることで、床材の反り発生をさらに一層抑制することのできる床暖房パネルが実現される。
【発明を実施するための最良の形態】
【０００９】
［第一の実施形態］
図１は、本願発明の一実施形態を示したものである。
【００１０】
本実施形態において、厚さ１２ｍｍの床材２の裏面側に深さ６ｍｍの収納凹所２１を掘り込んで形成し、それに発熱体３および断熱材４を納めてなる床暖房パネル１を考えた場合、まず、収納凹所２１の彫り込み深さ６ｍｍと同じ厚さ６ｍｍの第一合板２ａと、彫り残す厚さ６ｍｍ（＝厚さ１２ｍｍ−彫り込み深さ６ｍｍ）と同じ厚さ６ｍｍの第二合板２ｂとを用意し、これらを接着剤５などによって貼り合わせて、厚さ１２ｍｍの合板床材２を作る。ここで、第一合板２ａおよび第二合板２ｂは、それぞれにて層構造のバランスが保たれた合板体となっている。
【００１１】
続いて、作製された床材２の側端部を加工して、隣接する床暖房パネル１と実結合するための雄実部２２および雌実部２３を設ける。
【００１２】
次に、床材２の裏面側つまり床材２を構成する第一合板２ａに、深さ６ｍｍの収納凹所２１を彫り込んで形成する。このとき、深さ６ｍｍの収納凹所２１は、ちょうど、厚さ１２ｍｍの床材２において厚さ６ｍｍの第一合板２ａと厚さ６ｍｍの第二合板２ｂとの接着面に達することになり、よって上方の第二合板２ｂは何等彫り込まれることなく当初のままの層構造が残される。
【００１３】
そして、形成された収納凹所２１に、面状の発熱体３および断熱材４を順に貼り合わせることで、床暖房パネル１が完成する。
【００１４】
この床暖房パネル１は、第二合板２ｂの層構造のバランスつまり対象性が保たれているので、バランスの崩れに起因した床材２の反りは発生することがなくなり、高い品質を維持したものとなる。
【００１５】
［第二の実施形態］
図２は、本願発明の別の一実施形態を示したものである。
【００１６】
本実施形態においては、第一合板２ａと第二合板２ｂ自体は上記第一の実施形態におけるものと同じであるが、その貼り合わせの手法が異なり、収納凹所２１の彫り込み部位以外の部位にて互いを接着剤５やタッカー止めなどによって貼り合わせるようにしている。
【００１７】
これにより、図２に例示したように、収納凹所２１を形成させる際に、第一合板２ａにおける収納凹所２１の左右側端となる位置に、のこぎり等により切り溝２４をいれるだけで、それら切り溝２４間の第一合板２ａの部位が、第二合板２ｂと貼り合わされていないので簡単に取り除かれて、そこに収納凹所２１が彫り込み形成されることになる。
【００１８】
したがって、収納凹所２１をより容易に形成できる。また、６ｍｍ厚の第二合板２ｂの裏面に６ｍｍ厚の枠材を取り付ける手法も考えられるが、１２ｍｍ厚の床材を取り扱う製造ラインを用いることができないため、専用ラインを新たに設ける必要があり、コストアップしてしまうので、本実施形態の貼り合わせ手法が好ましいと言える。
【００１９】
後は、この収納凹所２１に発熱体３および断熱材４を順に貼り合わせて床暖房パネル１を完成させればよい。
【図面の簡単な説明】
【００２０】
【図１】本願発明の一実施形態について説明するための図。
【図２】本願発明の別の一実施形態について説明するための図。
【図３】従来の床暖房パネルについて説明するための図。
【符号の説明】
【００２１】
１  床暖房パネル
２  床材
２ａ  第一合板
２ｂ  第二合板
２１  収納凹所
２２  雄実部
２３  雌実部
２４  切り溝
３  発熱体
４  断熱材
５  接着剤
【図１】
2006124956.tif 000003
【図２】
2006124956.tif 000004
【図３】
2006124956.tif 000005